(57)【要約】【課題】身体に良好な防水性シートを有する吸収性物品を提供する。【解決手段】縦長形状の吸収性物品１０は着用時においては身体接触面となる透液性トップシート１と前記身体接触面の反対側の面となる不透液性バックシート２の間に液吸収体３を有する。透液性トップシート１の短辺側端部において、当該短辺側端部の上側をカバーするように端部分被覆防水シート４・５を配置する。着用時において身体接触面である端部分被覆防水シート面ＷＰ１は、着用時において前記液吸収体からの液流れによる湿潤を防止できる耐水圧性能（耐水圧値を８０ｍｍＨ２Ｏ以上）と、着用時における皮膚荒れ防止効果のある風合い（ＳＭＤを４．０マイクロメータ以下）を有する。【選択図】      図１
2004181105.tif 000002
【特許請求の範囲】
【請求項１】
着用時においては身体接触面となる透液性トップシートと前記身体接触面の反対側の面となる非透液性バックシートとこれら両シートの間に液吸収体を有する縦長形状の吸収性物品であって、
前記透液性トップシートの短辺側端部において、当該短辺側端部の上側をカバーするように配置されている端部分被覆防水シートを備え、
前記端部分被覆防水シートにおける着用時の身体接触面は、着用時において前記液吸収体から流れてきた液体が身体側に浸み出すのを防止する程度の耐水圧性能を有し、
当該耐水圧性能は、ＪＩＳ  Ｌ  １０９２  ５．１（１）に規定される耐水度試験Ａ法（低圧法）における静水圧法での耐水圧値を８０ｍｍＨ２Ｏ以上にさせることを特徴とする防水性シートを有する吸収性物品。
【請求項２】
前記端部分被覆防水シートにおける着用時の身体接触面は、着用時における皮膚荒れ防止効果のある風合いを有することを特徴とする請求項１記載の防水性シートを有する吸収性物品。
【請求項３】
前記端部分被覆防水シートにおける着用時の身体接触面は、ＫＥＳ法における表面凹凸変動の平均偏差（ＳＭＤ）を４．０マイクロメータ以下にさせることを特徴とする請求項２記載の防水性シートを有する吸収性物品。
【請求項４】
前記端部分被覆防水シートにおける着用時の身体接触面は、不織布で組成されていることを特徴とする請求項３記載の防水性シートを有する吸収性物品。
【請求項５】
前記端部分被覆防水シートにおける着用時の身体接触面の裏面は、非透液性フィルムで組成されていることを特徴とする請求項４記載の防水性シートを有する吸収性物品。
【請求項６】
前記端部分被覆防水シートにおける着用時の身体接触面は、ＪＩＳ  Ｌ  １０９６に規定されるカンチレバー法での曲げ剛性値を５０ｍｍ以下にさせることを特徴とする請求項３から５いずれか記載の防水性シートを有する吸収性物品。
【請求項７】
前記端部分被覆防水シートにおける着用時の身体接触面は、ＫＥＳ法における圧縮柔らかさ（ＷＣ：圧縮仕事量／Ｔ：厚さ）の変化率を５０％以上にさせることを特徴とする請求項３から６いずれか記載の防水性シートを有する吸収性物品。
【請求項８】
前記端部分被覆防水シートは、前記透液性トップシートの長辺方向に３ｃｍから１５ｃｍの範囲で外部液漏れ防止適合長さを有することを特徴とする請求項１から７いずれか記載の防水性シートを有する吸収性物品。
【請求項９】
透液性トップシートと非透液性バックシートの間に液吸収体を有する吸収性物品が５０ｃｍから７０ｃｍの長さを有する範囲において、前記端部分被覆防水シートが適用されることを特徴とする請求項１から８いずれか記載の防水性シートを有する吸収性物品。
【請求項１０】
前記端部分被覆防水シートは、着用時において前記液吸収体からの液流れ方向に対して開口していることを特徴とする請求項９記載の防水性シートを有する吸収性物品。
【請求項１１】
前記端部分被覆防水シートは、ＪＩＳ  Ｚ  ８７２２に規定される色の測定方法−反射及び透過物体色での全光線透過率を７５％以下にされることを特徴とする請求項９あるいは１０記載の防水性シートを有する吸収性物品。
【請求項１２】
前記非透液性バックシートはフィルムで組成され、該非透液性バックシートは前記透液性トップシートの端面より延出される延出部が形成され、該延出部に前記端部分被覆防水シートが接合されていることを特徴とする請求項５から１１いずれか記載の防水性シートを有する吸収性物品。
【請求項１３】
前記端部分被覆防水シートは、着用時に腹部に当接する第１の端部分被覆防水シートと着用時に腰部に当接する第２の端部分被覆防水シートを有し、第１の端部分被覆防水シートの面積より第２の端部分被覆防水シートの面積を視覚識別可能に大きくしていることを特徴とする請求項１１あるいは１２記載の防水性シートを有する吸収性物品。
【請求項１４】
前記端部分被覆防水シートは、着用時に腰部に当接する第２の端部分被覆防水シートのみを有することを特徴とする請求項１１あるいは１２記載の防水性シートを有する吸収性物品。
【発明の詳細な説明】
【０００１】
【発明の属する技術分野】
本発明は、使い捨ておむつや尿取りパッドなどの防水性シートを有する吸収性物品に関するものである。
【０００２】
【従来の技術】
液透過性のトップシートと、液不透過性のバックシートの間に液吸収体を有し、背部と腹部のトップシート上に胴漏れ防止不織布シートを有する使い捨ておむつが公開されている（例えば、特許文献１）。
【０００３】
前述の使い捨ておむつは、胴漏れ防止不織布シートの表面が親水性であり、その裏面が疎水性であることを特徴としている。この使い捨ておむつは、胴もれ、横漏れを防止し、かつ風合いも良好で更に汗の拡散も良好である使い捨ておむつを安価に提供できる。
【０００４】
【特許文献１】
実開平２−１２２６２６号公報
【０００５】
【発明が解決しようとする課題】
しかしながら、前述の防水性シートを有する吸収性物品となる使い捨ておむつは、身体側に親水性の不織布を配置しているため、以下のような問題が生ずる。
【０００６】
（１）液吸収体で吸収しきれなかった体液が、親水性シート上に流れた場合、親水性シートに体液が浸透して拡散する。その結果、胴回り部位も濡れることになる。
【０００７】
（２）また、前記親水性シートに体液浸透が加速されると、親水性シートの周縁まで体液が浸潤し、疎水性シートを越えて衣服などを濡らす結果となる。
【０００８】
（３）長時間仰臥を余儀なくされる人にとっては、胴回り部位が濡れた状態のままであると、皮膚荒れになり、さらには身体の圧迫が続くと、仙骨を中心とした褥瘡（床ずれ）の遠因にもなりかねない。
【０００９】
このように、使い捨ておむつや尿取りパッドなどの防水性シートを有する吸収性物品は、胴もれ、横漏れ、風合いに対し材質や構造に更なる改善が求められている。
【００１０】
本発明は、上述した課題を解決すべく、身体に良好な防水性シートを有する吸収性物品を提供することを目的とする。
【００１１】
【課題を解決するための手段】
発明者等は、前記目的を達成する製品につき鋭意研究した結果、本発明を完成させた。本発明は以下の内容からなる。
【００１２】
（１）  着用時においては身体接触面となる透液性トップシートと前記身体接触面の反対側の面となる非透液性バックシートとこれら両シートの間に液吸収体を有する縦長形状の吸収性物品であって、前記透液性トップシートの短辺側端部において、当該短辺側端部の上側をカバーするように配置されている端部分被覆防水シートを備え、前記端部分被覆防水シートにおける着用時の身体接触面は、着用時において前記液吸収体から流れてきた液体が身体側に浸み出すのを防止する程度の耐水圧性能を有し、当該耐水圧性能は、ＪＩＳ  Ｌ  １０９２  ５．１（１）に規定される耐水度試験Ａ法（低圧法）における静水圧法での耐水圧値を８０ｍｍＨ２Ｏ以上にさせることを特徴とする防水性シートを有する吸収性物品。
【００１３】
（１）記載の発明によれば、「着用時においては身体接触面となる透液性トップシートと前記身体接触面の反対側の面となる非透液性バックシートとこれら両シートの間に液吸収体を有する縦長形状の吸収性物品であって、前記透液性トップシートの短辺側端部において、当該短辺側端部の上側をカバーするように配置されている端部分被覆防水シートを備え、前記端部分被覆防水シートにおける着用時の身体接触面は、着用時において前記液吸収体から流れてきた液体が身体側に浸み出すのを防止する程度の耐水圧性能を有し、当該耐水圧性能は、ＪＩＳ  Ｌ  １０９２  ５．１（１）に規定される耐水度試験Ａ法（低圧法）における静水圧法での耐水圧値を８０ｍｍＨ２Ｏ以上にさせる」ので、液吸収体で吸収しきれなかった体液が端部分被覆防水シートに浸透して湿潤することを防止できる。
【００１４】
その結果、端部分被覆防水シートを介して皮膚が濡れるのを防止できる。特に、長時間仰臥を余儀なくされる人にとっては、腰回りの端部分被覆防水シートが濡れないことは、床ずれ防止に好適である。
【００１５】
当該耐水圧性能については、通常、６０〜７０ｍｍＨ２Ｏとされる端部分被覆防水シートの耐水圧値より大きく、防水効果（液漏れ防止効果）を向上できる。
【００１６】
（２）  前記端部分被覆防水シートにおける着用時の身体接触面は、着用時における皮膚荒れ防止効果のある風合いを有することを特徴とする（１）記載の防水性シートを有する吸収性物品。
【００１７】
（２）記載の発明によれば、「（１）記載の防水性シートを有する吸収性物品において、前記端部分被覆防水シートにおける着用時の身体接触面は、着用時における皮膚荒れ防止効果のある風合いを有する」ので、防水性シートを有する吸収性物品を長期間着用していても不愉快感の発生を防止でき、身体の圧迫による皮膚への刺激を軽減できる。
【００１８】
（３）  前記端部分被覆防水シートにおける着用時の身体接触面は、ＫＥＳ法における表面凹凸変動の平均偏差（ＳＭＤ）を４．０マイクロメータ以下にさせることを特徴とする（２）記載の防水性シートを有する吸収性物品。
【００１９】
（３）記載の発明によれば、「（２）記載の防水性シートを有する吸収性物品において、前記端部分被覆防水シートにおける着用時の身体接触面は、ＫＥＳ法における表面凹凸変動の平均偏差（ＳＭＤ）を４．０マイクロメータ以下にさせる」ので、端部分被覆防水シートは身体に優しい滑らかな面で接触する。したがって、皮膚を刺激することが少なくなる。
【００２０】
（４）  前記端部分被覆防水シートにおける着用時の身体接触面は、不織布で組成されていることを特徴とする（３）記載の防水性シートを有する吸収性物品。
【００２１】
（４）記載の発明によれば、「（３）記載の防水性シートを有する吸収性物品において、前記端部分被覆防水シートにおける着用時の身体接触面は、不織布で組成されている」ので、防水性能や表面処理の向上が容易であり、安価に製造できる。
【００２２】
（５）  前記端部分被覆防水シートにおける着用時の身体接触面の裏面は、非透液性フィルムで組成されていることを特徴とする（４）記載の防水性シートを有する吸収性物品。
【００２３】
（５）記載の発明によれば、「（４）記載の防水性シートを有する吸収性物品において、前記端部分被覆防水シートにおける身体接触面の裏面は、非透液性フィルムで組成されている」ので、端部分被覆防水シートと非透液性バックシートを接合することにより、液吸収体から流れてくる体液が身体接触面に滲みだすことを防止できる。
【００２４】
（６）  前記端部分被覆防水シートにおける着用時の身体接触面は、ＪＩＳ  Ｌ  １０９６に規定されるカンチレバー法での曲げ剛性値を５０ｍｍ以下にさせることを特徴とする（３）から（５）いずれか記載の防水性シートを有する吸収性物品。
【００２５】
（６）記載の発明によれば、「（３）から（５）いずれか記載の防水性シートを有する吸収性物品において、前記端部分被覆防水シートにおける着用時の身体接触面は、ＪＩＳ  Ｌ  １０９６に規定されるカンチレバー法での曲げ剛性値を５０ｍｍ以下にさせる」ので、曲げ剛性値が低く、前記端部分被覆防水シートが皮膚に当接したときに柔らかく感じとることができる。
【００２６】
（７）  前記端部分被覆防水シートにおける着用時の身体接触面は、ＫＥＳ法における圧縮柔らかさ（ＷＣ：圧縮仕事量／Ｔ：厚さ）の変化率を５０％以上にさせることを特徴とする（３）から（６）いずれか記載の防水性シートを有する吸収性物品。
【００２７】
（７）記載の発明によれば、「（３）から（６）いずれか記載の防水性シートを有する吸収性物品において、前記端部分被覆防水シートにおける身体接触面は、ＫＥＳ法における圧縮柔らかさ（ＷＣ：圧縮仕事量／Ｔ：厚さ）の変化率を５０％以上にさせる」ので、端部分被覆防水シートにおける厚みのクッション性能が向上し、身体が端部分被覆防水シートを圧迫したときに柔らかさを触覚できる。
【００２８】
（８）  前記端部分被覆防水シートは、３ｃｍから１５ｃｍの範囲で外部液漏れ防止適合長さを有することを特徴とする（１）から（８）いずれか記載の防水性シートを有する吸収性物品。
【００２９】
（８）記載の発明によれば、「（１）から（８）いずれか記載の防水性シートを有する吸収性物品において、前記端部分被覆防水シートは、前記透液性トップシートの長辺方向に３ｃｍから１５ｃｍの範囲で外部液漏れ防止適合長さを有する」ので、この範囲内で防水性シートを有する吸収性物品を製作すれば、皮膚への液漏れ防止効果と、液吸収体の液吸収性能を最低限満たすことができる。すなわち、端部分被覆防水シートを３ｃｍより短くすると、外部（例えば、衣服側）への液漏れ防止効果が損なわれ、端部分被覆防水シートを１５ｃｍより長くすると、端部分被覆防水シートが液吸収体を覆う面積が増え、液吸収性能が損なわれる。
【００３０】
（９）  透液性トップシートと非透液性バックシートの間に液吸収体を有する吸収性物品が５０ｃｍから７０ｃｍの長さを有する範囲において、前記端部分被覆防水シートが適用されることを特徴とする（１）から（８）いずれか記載の防水性シートを有する吸収性物品。
【００３１】
（９）記載の発明によれば、「（１）から（８）いずれか記載の防水性シートを有する吸収性物品において、透液性トップシートと非透液性バックシートの間に液吸収体を有する吸収性物品が５０ｃｍから７０ｃｍの長さを有する範囲において、前記端部分被覆防水シートが適用される」ので、身体の個体差や液吸収性能に対応した防水性シートを有する吸収性物品を提供できる。
【００３２】
（１０）  前記端部分被覆防水シートは、着用時において前記液吸収体からの液流れ方向に対して開口していることを特徴とする（９）記載の防水性シートを有する吸収性物品。
【００３３】
（１０）記載の発明によれば、「（９）記載の防水性シートを有する吸収性物品において、前記端部分被覆防水シートは、着用時において前記液吸収体からの液流れ方向に対して開口している」ので、液吸収体からの流れてくる体液が端部分被覆防水シートを乗り越えることなく堰止められる。この結果、端部分被覆防水シート表面が体液で濡れる可能性が低くなる。
【００３４】
（１１）  前記端部分被覆防水シートは、ＪＩＳ  Ｚ  ８７２２に規定される色の測定方法−反射及び透過物体色での全光線透過率を７５％以下にされることを特徴とする（９）あるいは（１０）記載の防水性シートを有する吸収性物品。
【００３５】
（１１）記載の発明によれば、「（９）あるいは（１０）記載の防水性シートを有する吸収性物品において、前記端部分被覆防水シートは、ＪＩＳ  Ｚ  ８７２２に規定される色の測定方法−反射及び透過物体色での全光線透過率を７５％以下にされる」ので、端部分被覆防水シートの隠蔽性が増し、端部分被覆防水シートを観察することにより濡れていないことを視認できる。通常は、透液性トップシートと端部分被覆防水シートは同色度（白色）である。体液が端部分被覆防水シートを濡らした場合は、端部分被覆防水シートを触覚で確認するしかなかったが、色度の違いにより手に触れることなく端部分被覆防水シートが濡れていないことを直ちに視認できる。
【００３６】
（１２）  前記非透液性バックシートはフィルムで組成され、該非透液性バックシートは前記透液性トップシートの端面より延出される延出部が形成され、該延出部に前記端部分被覆防水シートが接合されることを特徴とする（５）から（１１）いずれか記載の防水性シートを有する吸収性物品。
【００３７】
（１２）記載の発明によれば、「（５）から（１１）いずれか記載の防水性シートを有する吸収性物品において、前記非透液性バックシートはフィルムで組成され、該非透液性バックシートは前記透液性トップシートの端面より延出される延出部が形成され、該延出部に前記端部分被覆防水シートが接合される」ので、フィルムとフィルムの同質の部材が接合され、接着性が良好となり、防水性シートを有する吸収性物品における終縁部の防漏性能が向上する。
【００３８】
（１３）  前記端部分被覆防水シートは、着用時に腹部に当接する第１の端部分被覆防水シートと着用時に腰部に当接する第２の端部分被覆防水シートとを有し、第１の端部分被覆防水シートの面積より第２の端部分被覆防水シートの面積を視覚識別可能に大きくしていることを特徴とする（１１）あるいは（１２）記載の防水性シートを有する吸収性物品。
【００３９】
（１３）記載の発明によれば、「（１１）あるいは（１２）記載の防水性シートを有する吸収性物品において、前記端部分被覆防水シートは、着用時に腹部に当接する第１の端部分被覆防水シートと着用時に腰部に当接する第２の端部分被覆防水シートを有し、第１の端部分被覆防水シートの面積より第２の端部分被覆防水シートの面積を視覚識別可能に大きくしている」ので、防水性シートを有する吸収性物品の使い勝手がよい。防水性シートを有する吸収性物品は、腰部側が液吸収性能良く製作されている。防水性シートを有する吸収性物品を包装体から取り出し、着用するときに、腹部側と腰部側が容易に識別でき便利である。
【００４０】
（１４）  前記端部分被覆防水シートは、着用時に腰部に当接する第２の端部分被覆防水シートのみを有することを特徴とする（１１）あるいは（１２）記載の防水性シートを有する吸収性物品。
【００４１】
（１４）記載の発明によれば、「（１１）あるいは（１２）記載の防水性シートを有する吸収性物品において、前記端部分被覆防水シートは、着用時に腰部に当接する第２の端部分被覆防水シートのみを有する」ので、長時間仰臥を余儀なくされる人にとっては、好適な防水性シートを有する吸収性物品である。すなわち、仰臥状態では体液は重力の関係からしても腰部側に流れるので腰部側の端部分被覆防水シートのみ必要となる。加えて、仙骨を中心として腰部に広い面積で端部分被覆防水シートが当接するので、褥瘡防止にも役立つ。
【００４２】
【発明の実施の形態】
以下に、本発明の実施の形態について図面に基づいて説明する。なお、防水性シートを有する吸収性物品として尿取りパッドを例にとって以下に説明するが、本発明の防水性シートを有する吸収性物品は尿取りパッドに限定されるものでは無い。
【００４３】
図１は第１の実施の形態における尿取りパッドの構成図である。図１（ａ）は尿取りパッド１０の平面図、図１（ｂ）は図１（ａ）のＸＸ断面図である。
【００４４】
図１において、着用時においては身体接触面となる透液性トップシート１と前記身体接触面の反対側の面となる非透液性バックシート２とこれら両シートの間に、液吸収体３が包み込まれるように配置されており、全体として縦長形状を形成している。
【００４５】
透液性トップシート１の短辺側両端部において、当該短辺側端部の上側をカバーするように端部分被覆防水シート４・５が配置される。端部分被覆防水シート４は着用時において腹部に当接され、端部分被覆防水シート５は着用時において腰部に当接される。尿取りパッド１０は股間を覆うように着用される。
【００４６】
図２は端部分被覆防水シート４・５の部分断面図である。第１の端部分被覆防水シート面ＷＰ１は着用時において身体接触面であり、第２の端部分被覆防水シート面ＷＰ２は反身体接触面となる非透液性シートである。端部分被覆防水シート面ＷＰ１と端部分被覆防水シート面ＷＰ２は一体に接合される。
【００４７】
図１と図２で示された端部分被覆防水シート４・５は「非透液性」と「皮膚に接触したときの風合いの良さ」という２つの特性が要求される。前述の要求特性は数値化すると、以下の物性が必要なことがわかってきた。
【００４８】
「非透液性」については、端部分被覆防水シート４・５における身体接触面となる端部分被覆防水シート面ＷＰ１は、着用時において前記液吸収体から流れてきた液体が身体側に浸み出すのを防止する程度の耐水圧性能を有する。より具体的には、ＪＩＳ  Ｌ  １０９２  ５．１（１）に規定される耐水度試験Ａ法（低圧法）における静水圧法での耐水圧値が８０ｍｍＨ２Ｏ以上必要である。
【００４９】
端部分被覆防水シート面ＷＰ１の耐水圧値が８０ｍｍＨ２Ｏ以下だと、端部分被覆防水シート面ＷＰ１を体重で圧迫したときに、端部分被覆防水シート面ＷＰ１における非透液性能（撥水性能）が低下する。その結果、液吸収体３から流れてきた体液が端部分被覆防水シート面ＷＰ１に浸潤し、身体接触面となる端部分被覆防水シート面ＷＰ１を濡らすおそれがある。
【００５０】
「皮膚に接触したときの風合いの良さ」については、端部分被覆防水シート４・５における身体接触面となる端部分被覆防水シート面ＷＰ１は、着用時における皮膚荒れ防止効果のある風合いを有することが必要であり、より具体的にはＫＥＳ（Ｋａｗａｂａｔａ  Ｅｖａｌｕａｔｉｏｎ  Ｓｙｓｔｅｍ）法における表面凹凸変動の平均偏差（ＳＭＤ）を４．０マイクロメータ以下にさせる必要がある。
【００５１】
端部分被覆防水シート面ＷＰ１の表面凹凸変動の平均偏差（ＳＭＤ）が４．０マイクロメータを越えると、端部分被覆防水シート面ＷＰ１の表面は粗く凹凸が多いものとされ、端部分被覆防水シート面ＷＰ１が皮膚に接触したときに皮膚を刺激する恐れのある風合いであることが判明してきた。
【００５２】
端部分被覆防水シート面ＷＰ１の表面凹凸変動の平均偏差を４．０マイクロメータ以下にさせる具体的な手段を以下に説明する。
【００５３】
ＫＥＳの表面凹凸変動の平均偏差（ＳＭＤ値）が４．０マイクロメータ以下の疎水性不織布の一例としては、ポリエチレン樹脂を直接ラミネートした複合素材が挙げられる。
【００５４】
不織布については、短繊維不織布よりも長繊維であるスパンボンド不織布の方が、より好ましい。長繊維の場合は、短繊維と比較して不織布シートから飛び出した繊維がちくちくと皮膚を刺激するのをできるだけ低減できるためである。また、長繊維の方が、シート形成時に繊維が流れ方向に並びやすいので、表面凹凸変動の平均偏差（ＳＭＤ）を４．０マイクロメータ以下に達成しやすい。
【００５５】
一方では、端部分被覆防水シート面ＷＰ１は柔軟性を感じさせることも必要である。ここで、端部分被覆防水シート面ＷＰ１に使用される不織布を柔軟に感じさせる手法について説明する。
【００５６】
端部分被覆防水シート面ＷＰ１に使用される繊維はバイコンポーネントやコポリマーのようなＰＥ（ポリエチレン）を含む原綿を用い、繊維の融着性を下げ、繊維の自由度を高めることにより、柔らかさを高めることができる。
【００５７】
また、端部分被覆防水シート面ＷＰ１に使用される繊維にホモポリマーを用いる場合は、繊維径の細いファインデニールと呼ばれる原綿を用いて繊維１本１本の柔らかさを高めることができる。具体的には、前記原綿は１．５Ｄｔｅｘ以下の繊維径が好ましい。
【００５８】
不織布を柔軟に感じさせる別の手法として、圧着エンボスの面積率を下げることで繊維の自由度を高め、柔らかさを求めることができる。圧着エンボスの圧着面積率としては１５％以下、更に好ましくは１０％以下の不織布だと、十分な柔らかさを与えられる。
【００５９】
同様に、圧着エンボスのピッチを広げることで、柔らかさを表現することも可能である。
【００６０】
図３に示されるように、圧着エンボスの縦ピッチＬＰと横ピッチＳＰの各ピッチをそれぞれ１．５ｍｍ以上、更に好ましくは２．０ｍｍ以上にすることで不織布の柔軟な部分を充分に残せるので、柔らかさを与えられる。なお、図３における縦ピッチＬＰはＭＤ方向と平行する方向であり、不織布を製造するときのシートの流れ方向である。
【００６１】
以上説明したことは、曲げ剛性の物性を下げることにより不織布に柔らかさを獲得する手法でもある。ＪＩＳ  Ｌ  １０９６に規定されるカンチレバー法では、端部分被覆防水シート面ＷＰ１に求められる曲げ剛性値は、５０ｍｍ以下が柔らかく感じられ好ましい。さらに、４０ｍｍ以下の曲げ剛性値をもつ不織布がより好ましい。
【００６２】
端部分被覆防水シート面ＷＰ１に使用される不織布に柔らかさを与える別の要因として、不織布の厚みによるクッション性があげられる。スルーエアー不織布のような崇高な不織布のクッション性を利用する場合、ＫＥＳ法における圧縮柔らかさ（ＷＣ：圧縮仕事量／Ｔ：厚さ）の変化率を５０％以上にさせる不織布を適用するのが好ましい。この圧縮柔らかさであれば、端部分被覆防水シート４・５における厚みのクッション性能が向上し、身体が端部分被覆防水シート４・５を圧迫したときに柔らかさを触覚できる。
【００６３】
端部分被覆防水シート面ＷＰ１に使用される不織布の目付は、１０〜３０ｇ／ｍ２が好ましい。端部分被覆防水シート面ＷＰ１に使用される不織布の目付が前記の最低値より低すぎると、不織布の目付のムラが風合いに大きく影響してしまい、また、前記の最高値より高すぎると、防水性シートを有する吸水性物品の終縁における貼り合わせ部に柔らかさを損なうことになる。
【００６４】
次に、第１の端部分被覆防水シート面ＷＰ１の裏面である第２の端部分被覆防水シート面ＷＰ２について説明する。
【００６５】
端部分被覆防水シート面ＷＰ２は、液吸収体３から流れてくる体液が端部分被覆防水シート面ＷＰ１に滲みだすのを防ぐため、非透液性フィルムを用いることが好ましい。また、端部分被覆防水シート面ＷＰ２は、防水性シートを有する吸水性物品の終縁における貼り合わせ部に柔らかさを損なうことがないように、目付は低い方が好ましい。
【００６６】
例えば、端部分被覆防水シート面ＷＰ１に使用する不織布に溶融したポリエチレン樹脂を直接噴射しラミネートすることにより、単純に不織布にホットメルト接着剤（ＨＭＡ：Ｈｏｔ  Ｍｅｌｔ  Ａｄｈｅｓｉｖｅ）等の手段で非透液性フィルムをラミネートしたものよりも、複合素材のトータル目付を下げることができ、不織布の柔らかさを失わせない。
【００６７】
端部分被覆防水シート面ＷＰ２に使用される非透液性フィルムの目付は、５〜２５ｇ／ｍ２が好ましい。非透液性フィルムの目付が５ｇ／ｍ２より低すぎると、非透液性フィルムにピンホールが生じて防漏性に良くない影響が出る。また、非透液性フィルムの目付が２５ｇ／ｍ２より高すぎると、防水性シートを有する吸水性物品の終縁における貼り合わせ部に柔らかさを損なうことになる。
【００６８】
図１に戻り、端部分被覆防水シート４・５の位置関係について説明する。
【００６９】
図１において、尿取りパッド１０の全長は固定されたものとして、端部分被覆防水シート４・５の長さは長手方向に３〜１５ｃｍの範囲が好ましい。端部分被覆防水シート４・５は液吸収体３からの体液の防漏が重要であるが、端部分被覆防水シート４・５の長さが３ｃｍ未満であると、尿取りパッド１０の外部液濡れ防止効果を有効に発揮できない。
【００７０】
また、端部分被覆防水シート４・５の長さが１５ｃｍを越えると、液吸収面を端部分被覆防水シート４・５が塞いでしまうので、尿取りパッド１０の液吸収性能に良い結果を与えない。
【００７１】
端部分被覆防水シート４・５の横幅は、必ずしも製品幅と一致する必要は無い。端部分被覆防水シート４・５の横幅は、液吸収体３が露出しない程度に少なくとも液吸収体３の横幅と同じでよく、製品幅まで任意に幅設定をすることが可能である。
【００７２】
また、図１に示される製品長さＬ３としては、５０ｃｍ、６０ｃｍ、７０ｃｍの３サイズが用意されている。このような範囲の尿取りパッド１０を用意することにより、身体の固体差や液吸収性能に対応した防水性シートを有する吸収性物品を提供できる。
【００７３】
図４は、端部分被覆防水シート４・５の終縁における貼り合わせ部の部分断面図である。図４に示されるように、端部分被覆防水シート４・５は液吸収体３からの液流れ方向に対して開口している。
【００７４】
図４の符号Ｋは開口部である。開口部Ｋは全周に亘り形成されてはおらず、その両翼は閉じられている。言い換えれば、端部分被覆防水シート４・５の端縁中央部は透液性トップシート１から部分的に浮き上がった状態を保持している。このような開口部Ｋを形成させることにより、液吸収体３からの流れてくる体液が端部分被覆防水シート４・５を乗り越えることなく堰止められる。この結果、端部分被覆防水シート４・５の表面が体液で濡れる可能性が低くなる。
【００７５】
また、図４においては、非透液性バックシート２は非透液性フィルムで組成する。さらに、非透液性バックシート２は透液性トップシート１の端面より延出される延出部を形成させる。一方、端部分被覆防水シート４・５の端部分被覆防水シート面ＷＰ２を非透液性バックシート２と同素材で組成する。
【００７６】
そして、前記延出部と端部分被覆防水シート面ＷＰ２をホットメルト接着剤ＨＭで貼り付ける。このように製品化されることにより、フィルムとフィルムが接合される場合、不織布などの接合と比べるとフィルム表面に凹凸が少ないことによりフィルム上にホットメルト接着剤ＨＭが十分に残る。そのため、接着性が良好となり、防水性シートを有する吸収性物品における終縁部の防漏性能が向上する。
【００７７】
端部分被覆防水シート４・５が濡れる可能性が低くなることにより、端部分被覆防水シート４・５には、更なる改善が求められる。
【００７８】
図５は、図１の尿取りパッド１０に体尿ＵＲが沁みだした状態図である。図５において、体尿ＵＲは端部分被覆防水シート５の裏面側まで浸透している。図５（ａ）において透液性トップシート１あるいは液吸収体３はうすい白さ（色度）であり、端部分被覆防水シート５も同様にうすい白さ（色度）になっている。
【００７９】
図５（ａ）においては、端部分被覆防水シート５は実際には体尿ＵＲで濡れてはいないのであるが、端部分被覆防水シート５の透過率が高いため、端部分被覆防水シート５が透けてあたかも体尿ＵＲで端部分被覆防水シート５が濡れているかのごとく視認する。端部分被覆防水シート５が濡れているか否かを確認するには、触覚に頼りがちとなる。
【００８０】
一方、図５（ｂ）は端部分被覆防水シート５を濃い白さ（色度）にした状態図である。図５（ｂ）においては、端部分被覆防水シート５を透過率が低いので、端部分被覆防水シート５上に体尿ＵＲが視認できない状態であり、触覚に頼ることなく端部分被覆防水シート５が濡れていないことを視認できる。さらには、端部分被覆防水シート５上のドライ感を視覚的に訴えることができる。
【００８１】
端部分被覆防水シート５を有彩色にすることも考えられるが、衛生感が求められる物品であり、社会通念上、白色が最も適していると判断される。前述の端部分被覆防水シート５に求められる白さとしては、ＪＩＳ  Ｚ  ８７２２に規定される色の測定方法−反射及び透過物体色での全光線透過率（Ｔｔ：Ｔｏｔａｌ）を７５％以下にされることが好ましく、前記全光線透過率を６５％以下にすることがより好ましい。
【００８２】
端部分被覆防水シート５の色度は、例えば、端部分被覆防水シート面ＷＰ２をフィルムで組成し、酸化チタン含有率により調整する。酸化チタン含有率は２％〜２０％が好ましく、酸化チタン含有率が少なすぎると色度を高められない。また、酸化チタン含有率が多すぎると、均一な膜圧のラミネートが困難で、ピンホールが生じるリスクが生ずる。
【００８３】
本発明による特徴の一つには、図１に示されるように、着用時において腹部に当接する端部分被覆防水シート４の面積より、着用時において腰部に当接する端部分被覆防水シート５の面積を視覚識別可能に大きくしていることである。
【００８４】
図１においては、端部分被覆防水シート４・５の横幅はそれぞれ同じであるので、端部分被覆防水シート４の長さＬ１と端部分被覆防水シート５の長さＬ２を大きく相違させ、面積の違いを際立たせている。
【００８５】
このように、端部分被覆防水シート４・５の面積を変えてあることにより、例えば、尿取りパッド１０を包装体から取り出したときに、直ちに、腹部側と腰部側が容易に識別でき便利である。加えて、このような防水性シートを有する吸収性物品は、腰部側が液吸収性能良く製作されているので、腹部側と腰部側が容易に識別できることは、漏れ防止にも役立つ。
【００８６】
前述の考え方を踏まえ、図６に示される第２の実施の形態による尿取りパッド１１が考えられる。図６（ａ）は尿取りパッド１１の平面図、図６（ｂ）は図６（ａ）の断面図である。図６においては、着用時に腰部に当接する端部分被覆防水シート５のみを本体に取り付け、着用時に腹部に当接する端部分被覆防水シート４は本体に取り付けていない。
【００８７】
図６の尿取りパッド１１は長時間仰臥を余儀なくされる人にとっては、好適な防水性シートを有する吸収性物品である。すなわち、仰臥状態では体液は重力の関係からしても着用時には腰部側に流れるので腰部側の端部分被覆防水シート５のみ必要となる。加えて、仙骨を中心として腰部に広い面積で端部分被覆防水シート５が着用時に当接するので、褥瘡防止にも役立つ。
【００８８】
なお、図１においても、図６の尿取りパッド１１と同様に、長時間仰臥を余儀なくされる人にとっては、好適な防水性シートを有する吸収性物品であることは言うまでもない。
【００８９】
また、図７は、第３の実施の形態による尿取りパッド１２の構成図であり、図１の尿取りパッド１０にファスニングテープ６と貼り付け部７を設けた尿取りパッド１２の外観を示している。図７の尿取りパッド１２は着脱の容易さを考慮したものである。なお、図７における尿取りパッド１２は使い捨ておむつであってもよい。
【００９０】
【発明の効果】
本発明は、「着用時においては身体接触面となる透液性トップシートと前記身体接触面の反対側の面となる非透液性バックシートとこれら両シートの間に液吸収体を有する縦長形状の吸収性物品であって、前記透液性トップシートの短辺側端部において、当該短辺側端部の上側をカバーするように配置されている端部分被覆防水シートを備え、前記端部分被覆防水シートにおける着用時の身体接触面は、着用時において前記液吸収体から流れてきた液体が身体側に浸み出すのを防止する程度の耐水圧性能を有し、当該耐水圧性能は、ＪＩＳ  Ｌ  １０９２  ５．１（１）に規定される耐水度試験Ａ法（低圧法）における静水圧法での耐水圧値を８０ｍｍＨ２Ｏ以上にさせる」ので、液吸収体で吸収しきれなかった体液が端部分被覆防水シートに浸透して湿潤することを防止できる。その結果、端部分被覆防水シートを介して皮膚が濡れるのを防止できる。特に、長時間仰臥を余儀なくされる人にとっては、腰回りの端部分被覆防水シートが濡れないことは、床ずれ防止に好適である。当該耐水圧性能ついては、通常、６０〜７０ｍｍＨ２Ｏとされる端部分被覆防水シートの耐水圧値より大きく、防水効果（液漏れ防止効果）を向上できる。
【００９１】
さらに、本発明は、「前記端部分被覆防水シートにおける着用時の身体接触面は、着用時における皮膚荒れ防止効果のある風合いを有する」ので、防水性シートを有する吸収性物品を長期間着用していても不愉快感の発生を防止でき、身体の圧迫による皮膚への刺激を軽減できる。
【図面の簡単な説明】
【図１】本発明における第１の実施の形態による尿取りパッドの構成図である。
【図２】本発明における端部分被覆防水シートの部分断面図である。
【図３】本発明における圧着エンボスの配置図である。
【図４】本発明における端部分被覆防水シートの終縁における貼り合わせ部の部分断面図である。
【図５】本発明における尿取りパッドに体尿が沁みだした状態図である。
【図６】本発明における第２の実施の形態による尿取りパッドの構成図である。
【図７】本発明における第３の実施の形態による尿取りパッドの構成図である。
【符号の説明】
１  透液性トップシート
２  非透液性バックシート
３  液吸収体
４  端部分被覆防水シート
５  端部分被覆防水シート
６  ファスニングテープ
７  貼り付け部
１０  尿取りパッド
１１  尿取りパッド
１２  尿取りパッド
ＷＰ１  端部分被覆防水シート面（身体接触面）
ＷＰ２  端部分被覆防水シート面（反身体接触面）
【図１】
2004181105.tif 000003
【図２】
2004181105.tif 000004
【図３】
2004181105.tif 000005
【図４】
2004181105.tif 000006
【図５】
2004181105.tif 000007
【図６】
2004181105.tif 000008
【図７】
2004181105.tif 000009